(57)【特許請求の範囲】
【請求項１】
第１基板と、第２基板と、前記第１基板と前記第２基板との間に挟持された電気泳動素子と、を備えた電気泳動表示装置であって、
前記第１基板に設けられ、行方向および列方向に配列された複数の画素電極と、前記第２基板に設けられ、前記画素電極との間で前記電気泳動素子に電圧を印加する対向電極と、を備え、
前記対向電極が、隣接する前記画素電極間の領域に対向する箇所に、前記行方向および前記列方向の少なくとも一方向に延在する開口部を有し、
前記対向電極が、前記開口部を有する第１対向電極と、少なくとも前記開口部に対応する領域に設けられ、前記第１対向電極とは独立して電圧が印加可能な第２対向電極と、を含むことを特徴とする電気泳動表示装置。
【請求項２】
前記第２基板上に前記第２対向電極が設けられ、前記第２対向電極上に絶縁層を介して前記第１対向電極が設けられたことを特徴とする請求項１に記載の電気泳動表示装置。
【請求項３】
前記第１対向電極と前記第２対向電極とが同層に形成されていることを特徴とする請求項１に記載の電気泳動表示装置。
【請求項４】
前記対向電極が、前記複数の画素電極の各々に対向する箇所に設けられた複数の島状部と、前記複数の島状部の周囲を囲むように設けられた枠部と、前記複数の島状部間および所定の前記島状部と前記枠部との間を連結する連結部と、を有することを特徴とする請求項１ないし３のいずれか一項に記載の電気泳動表示装置。
【請求項５】
前記複数の画素電極の各々に対応して異なる色の色材層が設けられたカラーフィルターを備えたことを特徴とする請求項１ないし４のいずれか一項に記載の電気泳動表示装置。
【請求項６】
請求項１ないし５のいずれか一項に記載の電気泳動表示装置を備えたことを特徴とする電子機器。
【発明の詳細な説明】
【技術分野】
【０００１】
本発明は、電気泳動表示装置および電子機器に関する。
【背景技術】
【０００２】
電気泳動表示装置として、一対の基板間に液相分散媒と電気泳動粒子とを有する電気泳動素子を挟持した構成のものが知られている。この種の電気泳動表示装置においては、一対の基板の各々に電極が設けられており、電極間に印加される電圧の極性、波形、振幅、印加時間、周波数等を制御することで所望の画像を表示する。画像を構成する複数の画素をマトリクス状に配列した、いわゆるマトリクス型の電気泳動表示装置としては、下記の特許文献１に記載されているように、一方の基板に複数の画素電極をマトリクス状に形成し、他方の基板の全面に対向電極を形成した電極構成が一般的である。また、特許文献１には、一つの画素をｎ（ｎは２以上の整数）個のサブピクセルで構成したことにより、面積階調による階調表示を可能にしたことが記載されている。
【先行技術文献】
【特許文献】
【０００３】
【特許文献１】特開２００６−３０９１３１号公報
【発明の概要】
【発明が解決しようとする課題】
【０００４】
しかしながら、特許文献１の電気泳動表示装置においては、ある特定の画像を表示した際に、画像の周囲に滲みが発生する、特にカラー表示の場合には色滲みが発生するために表示品位が低下する、という問題があった。また、階調表示を行う際には、極めて多くのサブピクセルを個別に駆動する必要があり、装置構成が複雑になる、駆動回路の負担が大きくなる、等の問題があった。例えばカラーフィルターを備えることによりサブピクセル毎に異なる色を表示し、カラー表示を行うことも考えられるが、その場合にも全く同様の問題が存在する。
【０００５】
本発明は、上記の課題を解決するためになされたものであって、滲み（カラー表示の場合には色滲み）の発生を抑制することで表示品位の向上が可能な電気泳動表示装置を提供することを目的とする。また、簡易な構成で階調表示やカラー表示が可能な電気泳動表示装置を提供することを目的とする。また、表示品位に優れた電気泳動表示部を備えた電子機器を提供することを目的とする。
【課題を解決するための手段】
【０００６】
上記の目的を達成するために、本発明の電気泳動表示装置は、第１基板と、第２基板と、前記第１基板と前記第２基板との間に挟持された電気泳動素子と、を備えた電気泳動表示装置であって、前記第１基板に設けられ、行方向および列方向に配列された複数の画素電極と、前記第２基板に設けられ、前記画素電極との間で前記電気泳動素子に電圧を印加する対向電極と、を備え、前記対向電極が、隣接する前記画素電極間の領域に対向する箇所に、前記行方向および前記列方向の少なくとも一方向に延在する開口部を有し、前記対向電極が、前記開口部を有する第１対向電極と、少なくとも前記開口部に対応する領域に設けられ、前記第１対向電極とは独立して電圧が印加可能な第２対向電極と、を含むことを特徴とする。
本明細書における「行方向」は、電気泳動表示装置の表示画面における「水平方向」のことであり、「列方向」は、前記水平方向に直交する「垂直方向」のことである。
【０００７】
例えば、一つの画素電極に第１の電圧が印加され、対向電極および隣接する両隣の画素電極に第２の電圧（第２の電圧は前記第１の電圧と異なるものとする）が印加された場合を想定する。このとき、第１の電圧が印加された画素電極を含む画素が第１の表示状態（例えば黒表示）となり、第２の電圧が印加された画素電極を含む隣接画素が第２の表示状態（例えば白表示）となる。
【０００８】
ここで、従来の電気泳動表示装置の場合、対向電極が基板全面に形成されていたため、上記の電圧印加状態となったときに、一つの画素電極と両隣の画素電極との電圧が異なるため、両電極間に横電界（基板面に平行な方向の電界）が発生し、それに伴い、一つの画素電極と対向電極との間に発生する縦電界（基板面に垂直な方向の電界）が対向電極寄りの位置で両方の隣接画素側に広がった状態となる。そのため、対向電極側で広がった電界に沿って移動する電気泳動粒子の分布も隣接画素側に広がる結果、第１の表示状態（例えば黒表示）の画素が滲んだように見え、輪郭のぼけた画像が視認される。
【０００９】
これに対し、本発明の電気泳動表示装置の場合、対向電極が基板全面に形成されているのではなく、対向電極が、隣接する画素電極間の領域に対向する箇所に、行方向および列方向の少なくとも一方向に延在する開口部を有している。換言すると、隣接する画素電極間の領域に対向する箇所では、行方向および列方向の少なくとも一方向に対向電極が存在しない領域が設けられている。このような電極構成にしたことにより、上記の電圧印加状態となったときでも、一つの画素電極と対向電極との間に発生する縦電界（基板面に垂直な方向の電界）の対向電極側での広がりが抑えられる。その結果、表示の滲みを低減することができ、シャープな輪郭を持った鮮鋭な画像を表示することができる。
【００１０】
本発明の電気泳動表示装置において、前記対向電極が、前記複数の画素電極の各々に対向する箇所に設けられた複数の島状部と、前記複数の島状部の周囲を囲むように設けられた枠部と、前記複数の島状部間および所定の前記島状部と前記枠部との間を連結する連結部と、を有する構成を採用できる。
この構成によれば、各島状部が各画素電極に対向する位置に設けられているので、画素電極の周囲において行方向、列方向の双方ともに縦電界の広がりが抑えられる。したがって、画面の水平方向、垂直方向ともに表示の滲みを低減することができる。また、複数の島状部同士の間および島状部と枠部との間が連結部によって連結されているので、例えば枠部に電圧を供給することにより対向電極の全体に一括して共通電圧を印加することができる。
【００１１】
本発明の電気泳動表示装置において、前記対向電極が、前記開口部を有する第１対向電極と、少なくとも前記開口部に対応する領域に設けられ、前記第１対向電極とは独立して電圧が印加可能な第２対向電極と、を含む構成を採用できる。
この構成によれば、第１対向電極への印加電圧と第２対向電極への印加電圧との組み合わせを適宜選択することにより、開口部を有する第１対向電極の作用により鮮鋭な画像を表示するモードと、第１対向電極と第２対向電極との作用により意図的に滲みを発生させたソフトフォーカスの画像を表示するモードと、を切り替え可能な電気泳動表示装置を実現できる。
【００１２】
本発明の電気泳動表示装置において、前記第２基板上に前記第２対向電極が設けられ、前記第２対向電極上に絶縁層を介して前記第１対向電極が設けられた構成としても良い。
この構成によれば、絶縁層を介して第１対向電極と第２対向電極とが対向しており、これらを平面的に重ねて配置しても短絡することがないため、第２対向電極を第２基板の全面に形成することができる。この場合、製造プロセスにおいて第２対向電極のパターニングを行うことなく、上述の２つの表示モードを切り替え可能な電気泳動表示装置を作製することができる。
【００１３】
あるいは、本発明の電気泳動表示装置において、前記第１対向電極と前記第２対向電極とが同層に形成されている構成としても良い。
この構成によれば、１つの層をパターニングするだけで第１対向電極と第２対向電極とを形成できるため、製造プロセスにおいて第１対向電極と第２対向電極との間を絶縁する絶縁層を形成することなく、上述の２つの表示モードを切り替え可能な電気泳動表示装置を作製することができる。
【００１４】
本発明の電気泳動表示装置において、前記複数の画素電極の各々に対応して異なる色の色材層が設けられたカラーフィルターを備えた構成を採用できる。
この構成によれば、カラー表示が可能となり、色滲みの少ない電気泳動表示装置を実現できる。
【００１５】
本発明の電気泳動表示装置は、第１基板と、第２基板と、前記第１基板と前記第２基板との間に挟持された電気泳動素子と、を備えた電気泳動表示装置であって、前記第１基板に設けられ、行方向および列方向に配列された複数の画素電極と、前記第２基板に設けられ、前記画素電極との間で前記電気泳動素子に電圧を印加する対向電極と、を備え、前記対向電極が、一つの前記画素電極に対向する箇所に、個別に電圧が印加可能な複数の電極を有することを特徴とする。
【００１６】
本発明の電気泳動表示装置によれば、画素電極への印加電圧と対向電極を構成する各電極への印加電圧との組み合わせを適宜選択することにより、一つの画素電極に対応する領域（画素）内で対向電極の各電極の形成領域毎に、電気泳動粒子の移動を制御することができる。そのため、画素を複数のサブピクセルで構成しなくても、簡素な構成で階調表示が可能な電気泳動表示装置を実現できる。
【００１７】
本発明の電気泳動表示装置において、前記複数の電極の各々に対応して異なる色の色材層が設けられたカラーフィルターを備えた構成を採用できる。
この構成によれば、画素電極への印加電圧と対向電極を構成する各電極への印加電圧との組み合わせを適宜選択することにより、簡素な構成でカラー表示が可能な電気泳動表示装置を実現できる。
【００１８】
本発明の電子機器は、本発明の電気泳動表示装置を備えたことを特徴とする。
本発明によれば、本発明の電気泳動表示装置を備えているため、鮮鋭な表示が可能で表示品位に優れた電気泳動表示部を備えた電子機器を提供することができる。
【図面の簡単な説明】
【００１９】
【図１】本発明の第１実施形態の電気泳動表示装置を示す等価回路図である。
【図２】本実施形態の電気泳動表示装置を示す断面図である。
【図３】電気泳動素子を構成するマイクロカプセルを示す断面図である。
【図４】電気泳動素子の動作を説明するための図である。
【図５】本実施形態の電気泳動表示装置の対向電極を示す平面図である。
【図６】本実施形態の電気泳動表示装置の作用を説明するための図である。
【図７】従来の電気泳動表示装置の問題点を説明するための図である。
【図８】対向電極の他の例を示す平面図である。
【図９】本発明の第２実施形態の電気泳動表示装置における対向電極を示す平面図である。
【図１０】本実施形態の電気泳動表示装置の作用を説明するための図である。
【図１１】本発明の第３実施形態の電気泳動表示装置における対向電極を示す平面図である。
【図１２】本実施形態の電気泳動表示装置の作用を説明するための図である。
【図１３】本発明の第４実施形態の電気泳動表示装置における対向電極を示す平面図である。
【図１４】本実施形態の電気泳動表示装置を示す断面図である。
【図１５】本実施形態の電気泳動表示装置の作用を説明するための図である。
【図１６】本発明の第５実施形態の電気泳動表示装置を示す断面図である。
【図１７】本発明の電子機器の実施形態を示す図である。
【発明を実施するための形態】
【００２０】
［第１実施形態］
以下、本発明の第１実施形態について、図１〜図８を用いて説明する。
本実施形態は、アクティブマトリクス型の電気泳動表示装置の例である。
図１は本実施形態の電気泳動表示装置を示す等価回路図である。図２は同、電気泳動表示装置の断面図である。図３は電気泳動素子を構成するマイクロカプセルの断面図である。図４（ａ）、（ｂ）は電気泳動素子の動作を説明するための図である。図５は本実施形態の電気泳動表示装置の対向電極を示す平面図である。図６（ａ）、（ｂ）は本実施形態の電気泳動表示装置の作用を説明するための図である。図７（ａ）、（ｂ）は従来の電気泳動表示装置の問題点を説明するための図である。図８は対向電極の他の例を示す平面図である。
なお、以下の各図面においては各構成要素を見やすくするため、構成要素によって寸法の縮尺を異ならせて示すことがある。
【００２１】
本実施形態の電気泳動表示装置１００は、図１に示すように、複数の画素４０が行方向および列方向にマトリクス状に配列された表示部５を備えている。表示部５の周辺には、走査線駆動回路６１、データ線駆動回路６２が配置されている。表示部５には、走査線駆動回路６１から延びる複数の走査線３６と、データ線駆動回路６２から延びる複数のデータ線３８とが設けられており、これらの交差位置に対応して画素４０が設けられている。各画素４０には、選択トランジスター４１と画素電極３５とが設けられている。
なお、「行方向」とは、表示部における「水平方向」のことであり、図１の左右方向に対応する。「列方向」とは、前記水平方向に直交する「垂直方向」のことであり、図１の上下方向に対応する。
【００２２】
走査線駆動回路６１は、ｍ本の走査線３６（Ｇ１、Ｇ２、…、Ｇｍ）を介して各画素４０に接続されており、１行目からｍ行目までの走査線３６を順次選択し、画素４０に設けられた選択トランジスター４１をオン状態とするタイミングを規定する選択信号を、選択した走査線３６を介して供給する。また、データ線駆動回路６２は、ｎ本のデータ線３８（Ｓ１、Ｓ２、…、Ｓｎ）を介して各画素４０に接続されており、各画素４０に対応する画素データを規定する画像信号を画素４０に供給する。
【００２３】
電気泳動表示装置１００は、図２に示すように、素子基板３０（第１基板）と、対向基板３１（第２基板）と、素子基板３０と対向基板３１との間に挟持された複数のマイクロカプセル２０を配列してなる電気泳動素子３２と、を備えている。素子基板３０の電気泳動素子３２が配置される側の面には、図１に示した走査線３６、データ線３８、選択トランジスター４１などが形成されている。なお、図２には、隣接する２つの画素の断面構造を描いてある。
【００２４】
素子基板３０を構成する基板本体７１は、ガラスやプラスチック等で構成されている。この基板本体７１は、視認側とは反対側に配置されるため、透明なものでなくてもよい。基板本体７１の電気泳動素子３２側の一面に半導体層７２が形成され、半導体層７２を覆うようにゲート絶縁膜７３が形成されている。半導体層７２には、例えばアモルファスシリコン、多結晶シリコン等の非単結晶シリコン材料、酸化物半導体材料、Ｉｎ−Ｇａ−Ｚｎ−Ｏ等の透明酸化物半導体材料、フルオレン−ビチオフェン共重合体等の有機物半導体材料、等を用いることができる。半導体層７２に酸化物半導体材料を用いる場合には、ゲート絶縁膜７３にも酸化物絶縁材料を用いることが望ましく、また、半導体層７２に有機物半導体材料を用いる場合には、ゲート絶縁膜７３にも有機絶縁材料を用いることが望ましい。
【００２５】
ゲート絶縁膜７３上には、選択トランジスター４１のゲート電極として機能する走査線３６が形成されている。走査線３６には、例えばＡｌ−Ｎｄ合金とＭｏとの金属積層膜等を用いることができる。その他、Ａｌ単体、ＩＴＯ、Ｃｕ、Ｃｒ、Ｔａ、Ｍｏ、Ｎｂ、Ａｇ、Ｐｔ、Ｐｄ、Ｉｎ、Ｎｄやそれらの合金等を用いることができる。第１層間絶縁膜７４が、走査線３６を覆うように基板本体７１の全面に形成されている。第１層間絶縁膜７４には、例えばシリコン窒化膜、シリコン酸化膜、シリコン窒化酸化膜等の無機絶縁材料、あるいは有機絶縁材料を用いることができる。第１層間絶縁膜７４上には、コンタクトホール７５を介して半導体層７２のソース領域と電気的に接続されたデータ線３８が形成されている。データ線３８にも走査線３６と同様の材料を用いることができる。なお、図２では、ゲート電極が半導体層７２より図２中の上側に形成されるトップゲート構造となっているが、ゲート電極が半導体層７２より下側に形成されるボトムゲート構造であってもよい。
【００２６】
第２層間絶縁膜７６が、データ線３８を覆うように第１層間絶縁膜７４上の全面に形成されている。第２層間絶縁膜７６には、第１層間絶縁膜７４と同様、例えばシリコン窒化膜、シリコン酸化膜、シリコン窒化酸化膜等の無機絶縁材料、あるいは有機絶縁材料を用いることができる。第２層間絶縁膜７６上には、コンタクトホール７７を介して半導体層７２のドレイン領域と電気的に接続された画素電極３５が形成されている。画素電極３５は、例えばＩＴＯ（インジウム・スズ酸化物）等の透明導電材料やＡｌ等の金属材料などにより形成されており、後述する対向電極３７との間で電気泳動素子３２に電圧を印加する電極である。ここでは、画素電極３５の平面形状は図示しないが、データ線３８と走査線３６とが略直交する配置に合わせて略矩形状に形成されている。
【００２７】
一方、対向基板３１を構成する基板本体７９は、ガラスやプラスチック等からなる基板であり、視認側に配置されるため、透明基板が用いられる。基板本体７９の電気泳動素子３２側の一面には、個々の画素電極３５と対向するように対向電極３７が形成されている。すなわち、対向電極３７は画素４０毎に分割されて形成されている。対向電極３７は、画素電極３５とともに電気泳動素子３２に電圧を印加する電極であり、ＭｇＡｇ（マグネシウム銀）、ＩＴＯ、ＩＺＯ（インジウム・亜鉛酸化物）などの透明導電材料から形成されている。対向電極３７の平面的な形状等については後述する。
【００２８】
電気泳動素子３２と画素電極３５とが接着剤層（図示略）を介して接着されることにより、素子基板３０と対向基板３１とが接合されている。電気泳動素子３２は、予め対向基板３１側に形成され、接着剤層までを含めた電気泳動シートとして取り扱われるのが一般的である。製造工程において、電気泳動シートは、接着剤層の表面に保護用の離型シートが貼り付けられた状態で取り扱われる。そして、別途画素電極３５、選択トランジスター４１や各種回路などが形成された素子基板３０に対して、離型シートを剥がした当該電気泳動シートを貼り付けることにより、表示部５を形成する。このため、接着剤層は画素電極３５側のみに存在することになる。
【００２９】
図３に示すように、マイクロカプセル２０は、例えば５０μｍ程度の粒径を有しており、内部に分散媒２１と、多数の白色粒子（電気泳動粒子）２７と、多数の黒色粒子（電気泳動粒子）２６とが封入された球状体である。マイクロカプセル２０は、図２に示すように、対向電極３７と画素電極３５との間に挟持され、１つの画素４０内に複数のマイクロカプセル２０が配置されている。なお、図２には、１つの画素４０内に複数のマイクロカプセル２０が配置された構成を描いてあるが、１つの画素４０内に１つのマイクロカプセル２０が配置された構成であっても良い。
【００３０】
マイクロカプセル２０の外殻部２０ａ（壁膜）は、ポリメタクリル酸メチル、ポリメタクリル酸エチルなどのアクリル樹脂、ユリア樹脂、アラビアガムなどの透光性を持つ高分子樹脂などを用いて形成されている。分散媒２１は、白色粒子２７と黒色粒子２６とをマイクロカプセル２０内に分散させる液体である。
【００３１】
分散媒２１としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独または混合物として用いることができ、さらに界面活性剤などを配合してもよい。
【００３２】
白色粒子２７は、例えば、二酸化チタン、亜鉛華、三酸化アンチモン等の白色顔料からなる粒子（高分子あるいはコロイド）であり、例えば負に帯電されて用いられる。黒色粒子２６は、例えば、アニリンブラック、カーボンブラック等の黒色顔料からなる粒子（高分子あるいはコロイド）であり、例えば正に帯電されて用いられる。
【００３３】
これら白色顔料および黒色顔料には、必要に応じて、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、黒色粒子２６および白色粒子２７に代えて、例えば赤色、緑色、青色、イエロー、シアン、マゼンタ等の顔料を用いてもよい。係る構成によれば、カラーフィルターを用いることなく、表示部５に赤色、緑色、青色、イエロー、シアン、マゼンタ等を表示することができる。
なお、上記構成に代えて、着色した分散媒２１に１種類の荷電粒子を分散させた１粒子系であっても良い。あるいは、着色した分散媒２１に２種類以上の荷電粒子を分散させた構成であっても良い。
また、分散媒及び粒子をマイクロカプセル内に封入する構成に代えて、一対の基板間に分散媒及び粒子を充填する構成であってもよく、この場合には、一対の基板間に隔壁を設け、隔壁によって区画されたセル内に分散媒及び粒子を充填してもよい。
【００３４】
上記構成の電気泳動素子３２において、画素４０を白表示させる場合には、図４（ａ）に示すように、対向電極３７を相対的に高電位に保持し、画素電極３５を相対的に低電位に保持する。すなわち、対向電極３７の電位を基準電位としたとき、画素電極３５を負極性に保持する。これにより、負に帯電した白色粒子２６が対向電極３７に引き寄せられる一方、正に帯電した黒色粒子２７が画素電極３５に引き寄せられる。その結果、対向電極３７側からこの画素を見ると白色が視認される。
【００３５】
一方、  画素４０を黒表示させる場合には、図４（ｂ）に示すように、対向電極３７を相対的に低電位に保持し、画素電極３５を相対的に高電位に保持する。すなわち、対向電極３７の電位を基準電位としたとき、画素電極３５を正極性に保持する。これにより、正に帯電した黒色粒子２７が対向電極３７側へ引き寄せられる一方、負に帯電した白色粒子２７が画素電極３５に引き寄せられる。その結果、対向電極３７側からこの画素を見ると黒色が視認される。
【００３６】
次に、本発明の特徴部分である対向電極３７の構成について説明する。
対向電極３７は、図５に示すように、複数の島状部８０と枠部８１と複数の連結部８２とを有しており、これらが一体の透明導電膜により形成されている。島状部８０は、素子基板３０上の各画素電極３５に対向する箇所に設けられている。ここでは、画素電極３５の形状に合わせて矩形状に形成されているが、必ずしも矩形である必要はなく、円形や多角形など、任意の形状とすることができる。また、島状部８０の一辺の寸法については、画素電極３５と略同等に設定されている。すなわち、本実施形態の場合、島状部８０は画素電極３５と略同じ形状、略同じ寸法に形成されている。
【００３７】
枠部８１は、複数の島状部８０の周囲を囲むように設けられている。すなわち、枠部８１は、表示部５の外側の領域に対応して設けられている。また、隣接する島状部８０と島状部８０との間、および最外周の島状部８０と枠部８１との間は、連結部８２によって一体に連結され、枠部８１と島状部８０とが電気的に接続されている。したがって、枠部８１に対して電圧を印加することにより全ての島状部８０に同一の共通電位を付与することができる。本例では、行方向に隣接する島状部８０と島状部８０との間、列方向に隣接する島状部８０と島状部８０との間、の２方向が連結部８２によって連結されている。また、連結部８２の幅（短手方向の寸法）は島状部８０の一辺の寸法に対して十分に小さく設定されている。以上の構成により、対向電極３７は、隣接する画素電極３５間の領域に対向する箇所に、行方向および列方向に延在する開口部８３を有している。
【００３８】
ここで、従来の電気泳動表示装置の問題点と本発明の効果について、図６、図７を用いて説明する。
図６（ａ）、（ｂ）は本実施形態の電気泳動表示装置１００における電界の状態、図７（ａ）、（ｂ）は従来の電気泳動表示装置２００における電界の状態をそれぞれ電気力線で示したものである。これらの図面は隣接する３つの画素を示しており、図６（ａ）、図７（ａ）は３つの画素電極全ての電位を＋１５Ｖとし、対向電極の電位を０Ｖとした場合を示している。図６（ｂ）、図７（ｂ）は中央の画素電極の電位を＋１５Ｖとし、その両隣の画素電極の電位を０Ｖとし、対向電極の電位を０Ｖとした場合を示している。
このとき、図６（ａ）、図７（ａ）の電圧印加状態では３つの画素全てが黒表示となる一方、図６（ｂ）、図７（ｂ）の電圧印加状態では中央の画素が黒表示となり、その両隣の画素が白表示となる。
【００３９】
図７（ａ）に示すように、従来の電気泳動表示装置２００の場合、３つの画素電極２３５の全ての電位を＋１５Ｖ、対向電極２３７の電位を０Ｖとした場合には、各画素電極２３５と対向電極２３７との間に電気力線が略直線状に延びるように電界が形成される。これに対して、図７（ｂ）に示すように、中央の画素電極２３５の電位を＋１５Ｖ、その両隣の画素電極２３５の電位を０Ｖ、対向電極２３７の電位を０Ｖとした場合には、従来の電気泳動表示装置２３５では対向電極２３７が基板全面に形成されているため、隣接する画素電極２３５間に横電界（基板面に平行な方向の電界）が発生するのに伴い、中央の画素電極２３５と対向電極２３７との間に発生する縦電界（基板面に垂直な方向の電界）が対向電極２３７寄りの位置で両方の隣接画素側に大きく広がった状態となる。そのため、対向電極２３７側で広がった電界に沿って移動する電気泳動粒子の分布も隣接画素側に広がる結果、黒表示となる中央の画素が周囲に滲んだように見え、輪郭のぼけた画像が視認されていた。
【００４０】
これに対し、本実施形態の電気泳動表示装置１００の場合、図６（ａ）、（ｂ）に示すように、対向電極３７の各島状部８０と各画素電極３５とは略同一形状、略同一寸法であり、各島状部８０と各画素電極３５とが対向するように配置されている。この場合、図６（ａ）に示すように、３つの画素電極３５の全ての電位を＋１５Ｖ、対向電極３７の電位を０Ｖとした場合には、各画素電極３５と対向電極３７との間に電気力線が略直線状に延びるように電界が形成される。この状態は図７（ａ）に示す従来の場合と略同じである。
【００４１】
しかしながら、図６（ｂ）に示すように、中央の画素電極３５の電位を＋１５Ｖ、その両隣の画素電極３５の電位を０Ｖ、対向電極３７の電位を０Ｖとした場合には、電界の様子が従来と異なり、隣接する画素電極３５間に横電界が発生しても、隣接する画素電極３５間に対応する領域には対向電極３７が存在しないため、中央の画素電極３５と対向電極３７との間に発生する縦電界（電気力線）の対向電極３７側での広がりが従来に比べて小さくなり、隣接する画素電極３５側にはみ出すことがない。その結果、黒表示となる中央の画素の滲みを抑えることができ、シャープな輪郭を持った鮮鋭な画像を表示することができる。
【００４２】
なお、図５には、行方向に隣接する島状部８０間、列方向に隣接する島状部８０間、の２方向が連結部８２によって連結されている対向電極３７の例を示した。この構成に代えて、例えば図８に示すように、列方向に隣接する島状部８０と島状部８０との間が連結部８２Ａによって連結され、行方向に隣接する島状部８０と島状部８０との間は連結されていない構成の対向電極３７Ａを採用しても良い。この場合も、図５の構成を採用した場合と略同様の滲み抑制効果を得ることができるが、行方向に隣接する島状部８０間を連結する連結部が存在しない分、特に画素中央付近での行方向（左右方向）への滲みをより抑えることができる。
【００４３】
また、図５や図８では、島状部８０と連結部８２，８２Ａとを設けることで列方向と行方向に延在する対向電極３７，３７Ａの開口部８３（対向電極が存在しない部分）を形成したが、この構成に代えて、対向電極に一定の幅で直線状に延在する開口部（スリット）を形成し、電極が存在する部分を一定の幅の帯状に形成する構成の対向電極としても良い。例えば、列方向に延在する開口部を形成した場合には行方向への滲みを抑えることができ、行方向に延在する開口部を形成した場合には列方向への滲みを抑えることができるが、他方向への滲みを抑えることはできない。しかしながら、表示する画像のコンテンツや用途に応じて一方向への滲みが許容される場合には、上記の電極構成を採用しても良い。
【００４４】
［第２実施形態］
以下、本発明の第２実施形態について、図９〜図１０を用いて説明する。
本実施形態の電気泳動表示装置の基本構成は第１実施形態と同様であり、対向電極の構成が第１実施形態と異なっている。
図９は本実施形態の電気泳動表示装置における第１対向電極の平面図である。図１０は本実施形態の電気泳動表示装置の断面図であり、電極構成のみを示す図である。
図９、図１０において、第１実施形態で用いた図面と共通の構成要素には同一の符号を付し、詳細な説明を省略する。
【００４５】
本実施形態の電気泳動表示装置１０１において、素子基板３０側の構成は第１実施形態と全く同様である。対向基板４５側の構成は、図１０（ａ）、（ｂ）に示すように、対向電極４６が、第１対向電極４７と第２対向電極４８の２層の電極により構成されている。具体的には、基板本体７９の電気泳動素子３２側の一面には第２対向電極４８が形成され、第２対向電極４８上に絶縁膜４９を介して第１対向電極４７が形成されている。第２対向電極４８は基板本体７９の全面に形成される一方、第１対向電極４７は各画素電極３５と対向するように形成されている。すなわち、第１対向電極４７と第２対向電極４８とは絶縁膜４９によって電気的に絶縁されており、第１対向電極４７と第２対向電極４８とは個別に電圧が印加できる構成となっている。
【００４６】
すなわち、第１対向電極４７は、図９に示すように、複数の島状部８０と枠部８１と複数の連結部８２とを有しており、第１実施形態の対向電極３７と同様の構成を有している。第１対向電極４７および第２対向電極４８は、画素電極３５とともに電気泳動素子３２に電圧を印加する電極であり、ＭｇＡｇ（マグネシウム銀）、ＩＴＯ、ＩＺＯ（インジウム・亜鉛酸化物）などの透明導電材料から形成されている。また、絶縁膜４９には、シリコン窒化膜等の無機絶縁材料や有機絶縁材料を用いることができ、素子基板３０の第１、第２層間絶縁膜７４，７６と同様の材料を採用できる。なお、図１０（ａ）、（ｂ）には、第１対向電極４７の直下のみに絶縁膜４９が形成されている例を示したが、この構成に代えて、第２対向電極４８の全面に絶縁膜が形成されていても良い。
【００４７】
本実施形態の電気泳動表示装置１０１においても、開口部を有する第１対向電極４７を備えたことで第１実施形態と同様の作用により滲み抑制効果を得ることができるが、本実施形態の場合は単に滲みを抑制するだけでなく、第１対向電極４７と第２対向電極４８への印加電圧の組み合わせによって、滲みを抑制して鮮鋭な画像を表示するモードと、意図的に滲みを発生させたソフトフォーカスの画像を表示するモードと、を切り替え可能な電気泳動表示装置を実現できる。
【００４８】
例えば、図１０（ａ）に示すように、中央の画素電極３５の電位を＋１５Ｖ、その両隣の画素電極３５の電位を０Ｖ、第１対向電極４７の電位を０Ｖ、第２対向電極４８の電位を１５Ｖとした場合には、対向電極側の第１対向電極４７を構成する島状部８０の周縁において島状部８０と第２対向電極４８との間に横電界（斜め電界）が発生するため、中央の画素電極３５と対向電極４６との間に発生する縦電界の広がりが第１実施形態に比べて更に小さくなる。その結果、滲みを抑えることができ、シャープな輪郭を持った鮮鋭な画像を表示することができる。
【００４９】
一方、図１０（ｂ）に示すように、中央の画素電極３５の電位を＋１５Ｖ、その両隣の画素電極３５の電位を０Ｖ、第１対向電極４７の電位を０Ｖ、第２対向電極４８の電位を０Ｖとした場合には、第１対向電極４７と第２対向電極４８とが同電位であるため、全面にベタ状に形成されていた従来の対向電極と同等となり、中央の画素電極３５と対向電極４６との間に発生する縦電界の広がりが発生する。その結果、表示の滲みが発生し、ソフトフォーカスの画像を表示することができる。したがって、上記の場合、第１対向電極４７の電位を０Ｖに設定した上で、第２対向電極４８の電位を０Ｖに設定するか、＋１５Ｖに設定するかによって、上記の２つの表示モードを切り替えることが可能になる。
【００５０】
本実施形態の場合、製造プロセスにおいて絶縁膜４９の形成工程が必要となるものの、第２対向電極４８のパターニングを行うことなく、上述の２つの表示モードを切り替え可能な電気泳動表示装置を作製することができる。
【００５１】
［第３実施形態］
以下、本発明の第３実施形態について、図１１〜図１２を用いて説明する。
本実施形態の電気泳動表示装置の基本構成は第１実施形態と同様であり、鮮鋭画像表示モードとソフトフォーカス画像表示モードとの切り替え機能を備えた点は第２実施形態と同様であるが、対向電極の構成が第２実施形態と異なっている。
図１１は本実施形態の電気泳動表示装置における第１、第２対向電極の平面図である。図１２は本実施形態の電気泳動表示装置の断面図であり、電極構成のみを示す図である。
図１１、図１２において、第１実施形態で用いた図面と共通の構成要素には同一の符号を付し、詳細な説明を省略する。
【００５２】
第２実施形態では、第２対向電極４８上に絶縁膜４９を介して第１対向電極４７が形成されていた。これに対して、本実施形態の電気泳動表示装置１０２では、図１２（ａ）、（ｂ）に示すように、対向電極５１が、第１対向電極５２と第２対向電極５３の２つの電極により構成されており、これら第１対向電極５２と第２対向電極５３とが基板本体７９の一面に並置されている。第１対向電極５２と第２対向電極５３とは、櫛歯状に噛み合うような形状となっている。すなわち、基板本体７９上に透明導電膜を形成した後、この透明導電膜をパターニングすることにより第１対向電極５２と第２対向電極５３とを形成することができる。
【００５３】
図１１に示すように、第１対向電極５２は、第２実施形態と同様、複数の島状部８０と枠部８１Ａと複数の連結部８２とを有している。ただし、枠部８１Ａは、複数の島状部８０の全周を囲んでおらず、表示部５の４辺のうち、３辺（図１１の上辺、左辺、右辺）を囲むように形成される一方、残りの１辺（図１１の下辺）側には形成されていない。また、第２対向電極５３は、第１対向電極５２の開口部に相当する部分、すなわち隣接する画素電極３５間に相当する部分に設けられている。第１対向電極５２と第２対向電極５３とは微小な間隔を持って離間して配置されたことにより電気的に絶縁されている。これにより、第１対向電極５２と第２対向電極５３とは個別に電圧が印加できる構成となっている。
【００５４】
鮮鋭画像表示モードとソフトフォーカス画像表示モードとを切り替える際の電圧印加パターンは第２実施形態と同様である。すなわち、図１２（ａ）に示すように、中央の画素電極３５の電位を＋１５Ｖ、その両隣の画素電極３５の電位を０Ｖ、第１対向電極５２の電位を０Ｖ、第２対向電極５３の電位を１５Ｖとした場合には、縦電界の広がりが小さくなるため、滲みが抑えられ、鮮鋭な画像を表示することができる。一方、図１２（ｂ）に示すように、中央の画素電極３５の電位を＋１５Ｖ、その両隣の画素電極３５の電位を０Ｖ、第１対向電極５２の電位を０Ｖ、第２対向電極５３の電位を０Ｖとした場合には、縦電界の広がりが発生するため、表示の滲みが発生し、ソフトフォーカスの画像を表示することができる。
【００５５】
本実施形態の場合、第２実施形態で用いた絶縁膜の形成工程が不要となり、簡易な製造プロセスで２つの表示モードを切り替え可能な電気泳動表示装置を作製することができる。
【００５６】
なお、以上の第１〜第３実施形態においては白色粒子２７と黒色粒子２６とを用いてモノクロ表示を行う構成について説明したが、対向基板側の基板本体７９と対向電極５１との間、もしくは対向電極５１と電気泳動素子３２との間にカラーフィルターを備える構成を採用しても良い。これにより、色滲みの少ないカラー表示が可能な電気泳動表示装置を実現できる。
【００５７】
［第４実施形態］
以下、本発明の第４実施形態について、図１３〜図１５を用いて説明する。
本実施形態の電気泳動表示装置の基本構成は第１実施形態と同様であり、対向電極の構成が第１実施形態と異なっている。
図１３は本実施形態の電気泳動表示装置における対向電極の平面図である。図１４は本実施形態の電気泳動表示装置の断面図である。図１５は本実施形態の電気泳動表示装置の動作を説明するための図である。
図１３〜図１５において、第１実施形態で用いた図面と共通の構成要素には同一の符号を付し、詳細な説明を省略する。
【００５８】
本実施形態の電気泳動表示装置１０３において、素子基板３１側の構成は第１実施形態と全く同様である。対向基板５５側については、図１３、図１４に示すように、対向電極５６が第１対向電極５７、第２対向電極５８、第３対向電極５９、の３つの電極で構成されている。これら第１対向電極５７、第２対向電極５８、第３対向電極５９は、一つの画素電極３５に対向する領域内に、これら３つの対向電極５７，５８，５９が略収まるように形成されている。また、これら第１対向電極５７、第２対向電極５８、第３対向電極５９は、個別に電圧が印加できるようになっている。
【００５９】
第１対向電極５７、第２対向電極５８、第３対向電極５９の各々は、図１３に示すように、各画素電極３５の一部に対向する位置に設けられた電極部６４と、行方向（図１３の左右方向）に隣接する画素４０にわたって第１対向電極５７同士、第２対向電極５８同士、第３対向電極５９同士をそれぞれ連結する連結部６５と、を有している。各対向電極５７，５８，５９の電極部６４の面積は略等しく、画素４０の面積の略１／３ずつを占めている。ただし、各対向電極５７，５８，５９の電極部６４の面積は必ずしも等しくする必要はなく、意図的に異ならせても良い。各対向電極の電極部の面積を異ならせる構成を採用しても、後述する階調表示が可能である。
【００６０】
第１対向電極５７の連結部６５は画素４０の一端側（図１３の上側）に配置され、第２対向電極５８の連結部６５および第３対向電極５９の連結部６５は画素４０の他端側（図１３の下側）に配置されている。この配置により、第２対向電極５８と第３対向電極５９とは平面的に交差する部分を有しているが、この交差部分については、例えば一方の対向電極が絶縁膜を介して他方の対向電極の上層側もしくは下層側で立体的に交差する構成を採用したことにより、第２対向電極５８と第３対向電極５９とは電気的に絶縁されている。このような構成により、第１対向電極５７、第２対向電極５８、第３対向電極５９は、それぞれ独立して電圧が印加できるようになっている。
【００６１】
以下、上記構成の電気泳動表示装置１０３において、階調表示を行う方法について図１５を用いて説明する。
第１実施形態で説明したように、正に帯電した黒色粒子２６と負に帯電した白色粒子２７とで表示を行う場合で説明する。なお、黒色粒子２６と白色粒子２７の移動する向きや配置は互いに逆であるため、ここでは黒色粒子２６のみに着目し、白色粒子２７についての説明は省略する。また、図１５（ａ）〜（ｄ）では４つの画素４０を示すが、左側から順に画素ＰＸ１、画素ＰＸ２、画素ＰＸ３、画素ＰＸ４とし、一つの画素４０に対応する３つの対向電極については、左側から順に第１対向電極５７、第２対向電極５８、第３対向電極５９、とする。また、電気泳動素子３２中には実際には多数の黒色粒子２６が存在するが、ここでは階調の説明を単純化するため、各対向電極５７，５８，５９が対応する領域に対して１個ずつの黒色粒子２６が存在するものとする。
【００６２】
初期状態では、図１５（ａ）に示すように、全ての画素電極３５に黒色粒子が引き寄せられた状態とし、全ての画素を白表示とする。このような状態とするためには、例えば、総ての画素電極３５の電位を０Ｖ、総ての対向電極５７、５８、５９の電位を１５Ｖとすれば良い。
第１ステップとして、図１５（ｂ）に示すように、画素ＰＸ１、画素ＰＸ２、画素ＰＸ３の画素電極３５の電位を０Ｖ、画素ＰＸ４の画素電極３５の電位を＋１５Ｖ、第１対向電極５７の電位を０Ｖ、第２対向電極５８および第３対向電極５９の電位を＋１５Ｖとすると、画素ＰＸ４の第１対向電極５７に対応する領域だけは対向電極５７側が低電位となるため、画素電極３５側から対向電極５７側に向かうクーロン力によって、この領域の黒色粒子２６のみが対向電極５７側に移動する。このとき、各画素ＰＸ１〜ＰＸ４において対向電極５７，５８，５９側（視認側）に存在する黒色粒子２６の数は、画素ＰＸ１が０個、画素ＰＸ２が０個、画素ＰＸ３が０個、画素ＰＸ４が１個、となる。
なお、図１５（ｂ）〜（ｄ）の矢印は高電位側から低電位側に向かうクーロン力の向きを示し、ハッチングが施された電極は＋１５Ｖの電圧が印加された電極を示す。
【００６３】
次に、第２ステップとして、図１５（ｃ）に示すように、画素ＰＸ１の画素電極３５の電位を０Ｖ、画素ＰＸ２、画素ＰＸ３、画素ＰＸ４の画素電極３５の電位を＋１５Ｖ、第１対向電極５７の電位を＋１５Ｖ、第２対向電極５８および第３対向電極５９の電位を０Ｖとすると、画素ＰＸ１の第１対向電極５７に対応する領域は画素電極３５側が低電位となるため、対向電極５７側から画素電極３５側に向かうクーロン力が生じるが、この領域の黒色粒子２６はもともと画素電極３５側にあるため、移動しない。また、画素ＰＸ２の第２対向電極５８に対応する領域、画素ＰＸ２の第３対向電極５９に対応する領域、画素ＰＸ３の第２対向電極５８に対応する領域、画素ＰＸ３の第３対向電極５９に対応する領域、画素ＰＸ４の第２対向電極５８に対応する領域、画素ＰＸ４の第３対向電極５９に対応する領域は対向電極５８，５９側が低電位となるため、画素電極３５側から対向電極５８，５９側に向かうクーロン力によって、これらの領域の黒色粒子２６は対向電極５８，５９側に移動する。なお、第１ステップで移動した画素ＰＸ４の第１対向電極５７に対応する領域の黒色粒子２６は、クーロン力を受けず、対向電極５７側に留まったままである。このとき、各画素ＰＸ１〜ＰＸ４において対向電極５７，５８，５９側（視認側）に存在する黒色粒子２６の数は、画素ＰＸ１が０個、画素ＰＸ２が２個、画素ＰＸ３が２個、画素ＰＸ４が３個、となる。
【００６４】
次に、第３ステップとして、図１５（ｄ）に示すように、画素ＰＸ１、画素ＰＸ２の画素電極３５の電位を０Ｖ、画素ＰＸ３、画素ＰＸ４の画素電極３５の電位を＋１５Ｖ、第１対向電極５７および第２対向電極５８の電位を＋１５Ｖ、第３対向電極５９の電位を０Ｖとすると、画素ＰＸ１の第１対向電極５７および第２対向電極５８に対応する領域、画素ＰＸ２の第１対向電極５７に対応する領域は画素電極３５側が低電位となるため、対向電極５７，５８側から画素電極３５側に向かうクーロン力が生じるが、これらの領域の黒色粒子２６はもともと対向電極５７，５８側にあるため、移動しない。また、画素ＰＸ２の第２対向電極５８に対応する領域は画素電極３５側が低電位となるため、対向電極５８側から画素電極３５側に向かうクーロン力によって、この領域の黒色粒子２６は画素電極３５側に移動する。その他の領域の黒色粒子２６は、現状の位置に留まったままである。このとき、各画素ＰＸ１〜ＰＸ４において対向電極５７，５８，５９側（視認側）に存在する黒色粒子２６の数は、画素ＰＸ１が０個、画素ＰＸ２が１個、画素ＰＸ３が２個、画素ＰＸ４が３個、となる。
【００６５】
このように、全ての画素ＰＸ１〜ＰＸ４が白表示であった初期状態から、上記の第１〜第３ステップの電圧印加を行うことによって、画素ＰＸ１側から画素ＰＸ４側に向けて白表示から段階的に黒表示に変化する階調表示を行うことができる。
【００６６】
本実施形態の電気泳動表示装置１０３によれば、各画素ＰＸ１〜ＰＸ４の画素電極３５とそれに対応する第１〜第３対向電極５７，５８，５９への印加電圧の組み合わせを変えることにより、一つの画素内で各対向電極５７，５８，５９の形成領域毎に電気泳動粒子の移動を制御することができる。そのため、画素を複数のサブピクセルで構成しなくても、簡素な構成で階調表示が可能な電気泳動表示装置を実現できる。
【００６７】
［第５実施形態］
以下、本発明の第５実施形態について、図１６を用いて説明する。
本実施形態の電気泳動表示装置の基本構成は第４実施形態と同様であり、対向基板にカラーフィルターを備えた点が第４実施形態と異なっている。
図１６は本実施形態の電気泳動表示装置の断面図である。
図１６において、第１実施形態で用いた図２と共通の構成要素には同一の符号を付し、詳細な説明を省略する。
【００６８】
本実施形態の電気泳動表示装置１０４においては、図１６に示すように、対向基板９０の基板本体７９の電気泳動素子３２側の一面にカラーフィルター９１が設けられている。カラーフィルター９１は、第１対向電極５７、第２対向電極５８、第３対向電極５９毎に異なる色の色材層、例えば赤色（Ｒ）、緑色（Ｇ）、青色（Ｂ）の色材層を有している。また、カラーフィルター９１の各色材層上には、第４実施形態と同様の第１対向電極５７、第２対向電極５８、第３対向電極５９がそれぞれ設けられている。その他の構成は第４実施形態と同様である。
【００６９】
第４実施形態では階調表示を行う方法について説明したが、本実施形態の電気泳動表示装置１０４ではカラーフィルター９１を備えたことにより、各画素４０の画素電極３５とそれに対応する第１〜第３対向電極５７，５８，５９への印加電圧の組み合わせを変えることにより、一つの画素４０内で各対向電極５７，５８，５９の形成領域毎に電気泳動粒子の移動を制御し、カラー表示を行うことができる。したがって、一つの画素を複数のサブピクセルで構成することなく、簡素な構成でカラー表示が可能な電気泳動表示装置を実現できる。
【００７０】
なお、本発明の技術範囲は上記実施形態に限定されるものではなく、本発明の趣旨を逸脱しない範囲において種々の変更を加えることが可能である。上記実施形態では、隣接する画素電極間の全ての領域に対向電極の開口部を設ける構成を示したが、この構成に代えて、隣接する画素電極間の全ての領域のうち、一部の領域には対向電極の開口部を設けない構成、例えば開口部を設ける領域と開口部を設けない領域とを交互に配置する構成としても良い。その場合、対向電極の開口部を設けない画素電極間の領域には画素の滲みが生じるが、画像全体を見たときにその滲みが許容できる範囲であれば、そのような構成を採用しても構わない。その他、電気泳動表示装置の各構成部材の材料、形状、数等の具体的な構成については、上記実施形態に限らず、適宜変更が可能である。
【００７１】
また、上記実施形態では、アクティブマトリクス型電気泳動表示装置の例を挙げたが、本発明を単純マトリクス型（パッシブマトリクス型）電気泳動表示装置に適用することも可能である。
【００７２】
［電子機器］
次に、上記実施形態の電気泳動表示装置１００〜１０４を、電子機器に適用した場合について説明する。
図１７（ａ）は電子ペーパー１１００の構成を示す斜視図である。電子ペーパー１１００は、上記実施形態の電気泳動表示装置を表示領域１１０１に備えている。電子ペーパー１１００は可撓性を有し、従来の紙と同様の質感及び柔軟性を有する書き換え可能なシートからなる本体１１０２を備えて構成されている。
【００７３】
図１７（ｂ）は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００７４】
以上の電子ペーパー１１００、および電子ノート１２００によれば、本発明に係る電気泳動表示装置が採用されているので、表示の滲みが少なく、表示品位に優れた表示部を備えた電子機器が実現できる。
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置は好適に用いることができる。
【符号の説明】
【００７５】
３０…素子基板（第１基板）、３１，４５，５５，９０…対向基板（第２基板）、３２…電気泳動素子、３５…画素電極、３７，３７Ａ，４６，５１，５６…対向電極、４７，５２，５７…第１対向電極、４８，５３，５８…第２対向電極、４９…絶縁膜、５９…第３対向電極、８０…島状部、８１，８１Ａ…枠部、８２，８２Ａ…連結部、８３…開口部、９１…カラーフィルター、１００，１０１，１０２，１０３，１０４…電気泳動表示装置、１１００…電子ペーパー（電子機器）、１２００…電子ノート（電子機器）。
【図１】
0005494180.tif 000002
【図２】
0005494180.tif 000003
【図３】
0005494180.tif 000004
【図４】
0005494180.tif 000005
【図５】
0005494180.tif 000006
【図６】
0005494180.tif 000007
【図７】
0005494180.tif 000008
【図８】
0005494180.tif 000009
【図９】
0005494180.tif 000010
【図１０】
0005494180.tif 000011
【図１１】
0005494180.tif 000012
【図１２】
0005494180.tif 000013
【図１３】
0005494180.tif 000014
【図１４】
0005494180.tif 000015
【図１５】
0005494180.tif 000016
【図１６】
0005494180.tif 000017
【図１７】
0005494180.tif 000018